(57)【要約】【課題】燃料発電機からこぼれた燃料を回収し、土壌汚染を防止することができる防油堤スタンドを提供する。【解決手段】タンク用受台１２は、燃料発電機１の燃料タンク１１の下方に配置され、燃料タンクからこぼれる燃料を受ける。配管１３は、燃料タンク１１の内部の燃料を燃料発電機１に供給する。発電機用受台１４は、燃料発電機１を支持可能である。発電機用受台１４は、底面１４ａと燃料排出口１４ｄとを有する。底面１４ａは、燃料発電機１および配管１３からこぼれる燃料を受けるよう、配管１３および燃料発電機１の下方に傾斜して設けられる。燃料排出口１４ｄは、底面１４ａから流れる燃料をタンク用受台１２へ排出可能に、底面１４ａの傾斜した下側に連続してタンク用受台１２より高い位置に設けられている。遮熱部材１５は、燃料タンク１１と発電機用受台１４により支持される燃料発電機１との間に配置される。【選択図】図１
2004251219.tif 000002
【特許請求の範囲】
【請求項１】
底面と側壁とを有し、燃料発電機の給気口を前記側壁より高い位置で支持し、燃料発電機からこぼれる燃料を受けるための槽から成ることを特徴とする防油堤スタンド。
【請求項２】
燃料発電機の燃料タンクの下方に配置され、前記燃料タンクからこぼれる燃料を受けるためのタンク用受台と、
前記燃料タンクの内部の燃料を燃料発電機に供給するための配管と、
前記燃料発電機を支持可能な発電機用受台と、
前記燃料タンクと前記発電機用受台により支持される燃料発電機との間に配置される遮熱部材とを有し、
前記発電機用受台は底面と燃料排出口とを有し、前記底面は前記燃料発電機および前記配管からこぼれる燃料を受けるよう前記配管および燃料発電機の下方に傾斜して設けられ、前記燃料排出口は前記底面から流れる燃料を前記タンク用受台へ排出可能に前記底面の傾斜した下側に連続して前記タンク用受台より高い位置に設けられていることを、
特徴とする防油堤スタンド。
【請求項３】
燃料発電機の燃料タンクの内部の燃料を燃料発電機に供給するための配管と、
前記燃料発電機および前記燃料タンクを支持し、前記燃料発電機、前記配管および前記燃料タンクからこぼれる燃料を受けるための受台と、
前記燃料発電機と前記燃料タンクとの間に配置される遮熱部材とを、
有することを特徴とする防油堤スタンド。
【発明の詳細な説明】
【０００１】
【発明の属する技術分野】
本発明は、燃料発電機からこぼれる燃料を受けるための防油堤スタンドに関する。
【０００２】
【従来の技術】
建築現場などでは、大型の建築用機材を電力で動かすために、燃料発電機と、燃料発電機に燃料を供給するための燃料タンクとがしばしば設置される。このとき、燃料タンクから燃料が地面にこぼれるのを防ぐため、燃料タンクの下に防油堤の設置が義務付けされている。従来の防油堤としては、底板と周囲壁からなる鋼板製箱形油溜と、据え付ける油タンクの脚の位置に合わせて、底板上四箇所に固定したタンク載置用束石と、各束石の上面に突出した、タンク脚の踏板締付用基礎ボルトとを備えているものがある（特許文献１参照）。
【０００３】
【特許文献１】
登録実用新案第３０００２６４号公報
【０００４】
【発明が解決しようとする課題】
しかしながら、従来の防油堤は、燃料タンクからこぼれる燃料を受けるためのものであって、燃料発電機からこぼれる燃料を受けるものはなかった。燃料発電機から地面にこぼれた燃料は、土壌を汚染するという課題があった。
【０００５】
本発明は、このような従来の課題に着目してなされたもので、燃料発電機からこぼれた燃料を回収し、土壌汚染を防止することができる防油堤スタンドを提供することを目的としている。
【０００６】
【課題を解決するための手段】
上記目的を達成するために、第１の本発明に係る防油堤スタンドは、底面と側壁とを有し、燃料発電機の給気口を前記側壁より高い位置で支持し、燃料発電機からこぼれる燃料を受けるための槽から成ることを特徴とする。
【０００７】
第１の本発明に係る防油堤スタンドは、燃料発電機からこぼれた燃料を受けることができるため、こぼれた燃料による土壌汚染を防止することができる。この防油堤スタンドは、燃料発電機の給気口を側壁より高い位置で支持するため、夜間などに雨水が溜まったときにも燃料発電機が水没により影響を受けるのを防止することができる。
【０００８】
第１の本発明に係る防油堤スタンドは、燃料発電機の燃料タンクの下方に配置されて前記燃料発電機を開口縁より高い位置で支持し、前記燃料タンクからこぼれる燃料を受けるためのタンク用受台と、前記燃料タンクの内部の燃料を前記燃料発電機に供給するための配管と、前記配管および前記燃料発電機からこぼれる燃料を受けるための発電機用受台と、前記燃料タンクと前記燃料発電機との間に配置される遮熱部材とから成っていてもよい。
【０００９】
この構成では、配管を燃料タンクから燃料発電機まで接続して使用される。燃料タンクからこぼれた燃料はタンク用受台により受けることができ、燃料発電機または配管からこぼれた燃料は発電機用受台により受けることができる。このため、燃料タンク、燃料発電機または配管からこぼれた燃料を回収することができ、こぼれた燃料による土壌汚染を防止することができる。
【００１０】
この構成では、遮熱部材が燃料タンクと燃料発電機との間に配置されるため、燃料発電機の稼働により発生した熱を遮熱部材により遮ることができ、燃料発電機の熱で燃料タンクが熱せられて火災の原因となるのを防ぐことができる。なお、遮熱部材は発電機用受台に固定されていても、タンク用受台に固定されていてもよい。
【００１１】
第２の本発明に係る防油堤スタンドは、燃料発電機の燃料タンクの下方に配置され、前記燃料タンクからこぼれる燃料を受けるためのタンク用受台と、前記燃料タンクの内部の燃料を燃料発電機に供給するための配管と、前記燃料発電機を支持可能な発電機用受台と、前記燃料タンクと前記発電機用受台により支持される燃料発電機との間に配置される遮熱部材とを有し、前記発電機用受台は底面と燃料排出口とを有し、前記底面は前記燃料発電機および前記配管からこぼれる燃料を受けるよう前記配管および燃料発電機の下方に傾斜して設けられ、前記燃料排出口は前記底面から流れる燃料を前記タンク用受台へ排出可能に前記底面の傾斜した下側に連続して前記タンク用受台より高い位置に設けられていることを、特徴とする。
【００１２】
第２の本発明に係る防油堤スタンドは、発電機用受台により燃料発電機を支持し、配管を燃料タンクから燃料発電機まで接続して使用される。燃料タンクからこぼれた燃料はタンク用受台により受けることができ、燃料発電機または配管からこぼれた燃料は発電機用受台の底面により受けることができる。発電用受台の底面で受けた燃料は、傾斜した底面を流れて燃料排出口からタンク用受台へと排出される。このため、燃料タンク、燃料発電機または配管からこぼれた燃料をタンク用受台に回収することができ、こぼれた燃料による土壌汚染を防止することができる。また、こぼれた燃料をタンク用受台に集めるため、こぼれた燃料に引火したときにも燃料発電機に引火する危険性を減らすことができる。
【００１３】
第２の本発明に係る防油堤スタンドでは、遮熱部材が燃料タンクと燃料発電機との間に配置されるため、燃料発電機の稼働により発生した熱を遮熱部材により遮ることができ、燃料発電機の熱で燃料タンクが熱せられて火災の原因となるのを防ぐことができる。なお、遮熱部材は発電機用受台に固定されていても、タンク用受台に固定されていてもよい。
【００１４】
第３の本発明に係る防油堤スタンドは、燃料発電機の燃料タンクの内部の燃料を燃料発電機に供給するための配管と、前記燃料発電機および前記燃料タンクを支持し、前記燃料発電機、前記配管および前記燃料タンクからこぼれる燃料を受けるための受台と、前記燃料発電機と前記燃料タンクとの間に配置される遮熱部材とを、有することを特徴とする。
【００１５】
第３の本発明に係る防油堤スタンドは、配管を燃料タンクから燃料発電機まで接続して使用される。燃料発電機、配管または燃料タンクからこぼれた燃料は、受台により受けることができる。このため、こぼれた燃料を回収することができ、こぼれた燃料による土壌汚染を防止することができる。また、遮熱部材が燃料発電機と燃料タンクとの間に配置されるため、燃料発電機の稼働により発生した熱を遮熱部材により遮ることができ、燃料発電機の熱で燃料タンクが熱せられて火災の原因となるのを防ぐことができる。
【００１６】
【発明の実施の形態】
以下、図面に基づき、本発明の実施の形態について説明する。
図１は、本発明の第１の実施の形態を示している。
図１に示すように、防油堤スタンド１０は、燃料タンク１１とタンク用受台１２と配管１３と発電機用受台１４と遮熱部材１５とを有している。
【００１７】
燃料タンク１１は、タンク本体１１ａと４本の脚１１ｂとレベルゲージ１１ｃと燃料送出口１１ｄと燃料回収口１１ｅとを有している。タンク本体１１ａは、金属製であり、直方体状を成している。４本の脚１１ｂは、タンク本体１１ａの両側面に固定され、タンク本体１１ａを支持している。燃料送出口１１ｄは、タンク本体１１ａの下面に設けられ、バルブを介して配管１３に接続している。燃料回収口１１ｅは、タンク本体１１ａの上面に設けられ、蓋により開閉可能となっている。燃料回収口１１ｅは、燃料発電機１に供給された燃料のうち余分なものを戻すためのものであり、配管１３に接続している。燃料タンク１１は、燃料供給口１１ｃから燃料を入れて、燃料発電機１の燃料を貯えるために使用される。なお、燃料には、軽油等の液体燃料が用いられる。
【００１８】
タンク用受台１２は、底板１２ａと周壁１２ｂとを有し、槽状をなしている。底板１２ａは、矩形状を成し、地面に設置される。周壁１２ｂは、底板１２ａの外周に沿って外周のやや内側に枠状に固定されている。周壁１２ｂは、底板１２ａに対し垂直に固定されている。タンク用受台１２は、燃料発電機１の燃料タンク１１の下方に配置され、底板１２ａの上に燃料タンク１１を設置して使用される。タンク用受台１２は、燃料タンク１１からこぼれる燃料を底板１２ａで受け、内部に溜めることができる。
【００１９】
配管１３は、燃料供給チューブ１３ａと燃料回収チューブ１３ｂとからなる。燃料供給チューブ１３ａは、燃料タンク１１の燃料送出口１１ｄと燃料発電機１の給油口とを接続し、燃料タンク１１の内部の燃料を燃料発電機１に供給するようになっている。燃料回収チューブ１３ｂは、燃料タンク１１の燃料回収口１１ｅと燃料発電機１の燃料戻し口とを接続し、燃料発電機１で余分な燃料を燃料タンク１１内に戻すようになっている。
【００２０】
発電機用受台１４は、燃料発電機１を支持可能であり、タンク用受台１２に隣接して設置される。発電機用受台１４は、底面１４ａと側壁１４ｂと上部脚材１４ｃと燃料排出口１４ｄと排出用樋１４ｅと下部脚材１４ｆとを有している。底面１４ａは、矩形状の平板から成り、配管１３および燃料発電機１の下方に、タンク用受台１２に向かって傾斜して設けられている。底面１４ａは、配管１３および燃料発電機１からこぼれる燃料を受けることができる。側壁１４ｂは、底面１４ａの外周に沿って枠状に固定されている。側壁１４ｂは、底面１４ａに対し垂直に固定されている。底面１４ａおよび側壁１４ｂは、全体が槽状をなしている。燃料発電機１は、底面１４ａの上に脚材を載せて、給気口１ａが底面１４ａおよび側壁１４ｂより高い位置で支持される。
【００２１】
上部脚材１４ｃは、複数から成り、それぞれ平行に配置されて底面１４ａの下部に固定されている。下部脚材１４ｆは、複数から成り、それぞれ平行に配置されて上部脚材１４ｃの下部に固定されている。上部脚材１４ｃと下部脚材１４ｆとは、互いに垂直に交差している。上部脚材１４ｃおよび下部脚材１４ｆは、タンク用受台１２の周壁１２ｂの上端より高い位置で底面１４ａを支持している。燃料排出口１４ｄは、底面１４ａの傾斜した下側に連続しており、タンク用受台１２より高い位置に設けられている。燃料排出口１４ｄは、底面１４ａから流れる燃料が側壁１４ｂの外部へ排出されるよう、タンク用受台１２側の側壁１４ｂの一部を上端から底面１４ａまで切り込んで形成されている。排出用樋１４ｅは、断面がＵ字型を成し、燃料排出口１４ｄからタンク用受台１２の底板１２ａに向けて下方に傾斜して設けられている。排出用樋１４ｅは、燃料排出口１４ｄから排出された燃料をタンク用受台１２へ流すことができる。
【００２２】
遮熱部材１５は、板状をなし、燃料タンク１１と発電機用受台１４により支持される燃料発電機１との間に配置されている。遮熱部材１５は、上端が燃料タンク１１の上端より高くなるよう、発電機用受台１４の燃料タンク１１側の側壁１４ｂの上部に設置されている。遮熱部材１５は、上部が燃料タンク１１の側に折れ曲がり、燃料タンク１１を燃料発電機１の側から隔てている。なお、遮熱部材１５は、タンク用受台１２に固定されていてもよい。
【００２３】
次に、作用について説明する。
防油堤スタンド１０は、タンク用受台１２の上に燃料タンク１１を載せて支持し、発電機用受台１４の上に燃料発電機１を載せて用いられる。配管１３の燃料供給チューブ１３ａを燃料タンク１１の燃料送出口１１ｄと燃料発電機１の給油口とに接続し、燃料回収チューブ１３ｂを燃料タンク１１の燃料回収口１１ｅと燃料発電機１の燃料戻し口とに接続する。このとき、配管１３は、発電機用受台１４の底面１４ａの上方を通るよう燃料発電機１に接続される。準備が完了したならば、燃料タンク１１から燃料発電機１に燃料を供給し、燃料発電機１を稼動させる。
【００２４】
燃料タンク１１からこぼれた燃料は、タンク用受台１２により受けることができ、燃料発電機１または配管１３からこぼれた燃料は、発電機用受台１４の底面１４ａにより受けることができる。発電用受台の底面１４ａで受けた燃料は、傾斜した底面１４ａを流れて燃料排出口１４ｄから排出用樋１４ｅを通ってタンク用受台１２へと排出される。タンク用受台１２に入った燃料は、タンク用受台１２の内部に溜めることができる。
【００２５】
このため、防油堤スタンド１０は、燃料タンク１１、燃料発電機１または配管１３からこぼれた燃料をタンク用受台１２に回収することができ、こぼれた燃料による土壌汚染を防止することができる。また、こぼれた燃料をタンク用受台１２に集めるため、こぼれた燃料に引火したときにも燃料発電機１に引火する危険性を減らすことができる。このように、防油堤スタンド１０では、火災に対する安全性が高められている。
【００２６】
防油堤スタンド１０は、遮熱部材１５が燃料タンク１１と燃料発電機１との間に配置されて、燃料タンク１１を燃料発電機１の側から隔てているため、燃料発電機１の稼働により発生した熱を遮熱部材１５により遮ることができる。これにより、燃料発電機１の熱で燃料タンク１１が熱せられて火災の原因となるのを防ぐことができる。
【００２７】
防油堤スタンド１０は、各構成部材に分解して持ち運びが可能であり、特に建築現場などの仮設の用途に適している。また、防油堤スタンド１０は、各自治体の設置基準を満たすように構成することができる。なお、タンク用受台１２の底板１２ａの底部および発電機用受台１４の下部脚材１４ｆの底部は、アンカーで地面に固定されることが好ましい。また、発電機用受台１４の上部脚材１４ｃは、底面１４ａの傾斜角度または高さを調節可能にするジャッキから成っていてもよい。遮熱部材１５は、発電機用受台１４に着脱可能に設けられていてもよい。遮熱部材１５は、高さを調節できるよう伸縮可能であってもよい。
【００２８】
図２は、本発明の第２の実施の形態を示している。
図２に示すように、防油堤スタンド２０は、タンク用受台（図示せず）と配管２３と発電機用受台２４と遮熱部材２５とを有している。
【００２９】
タンク用受台は、図１に示す構成から成っている。すなわち、タンク用受台は、底板と周壁とを有し、槽状をなしている。底板は、矩形状を成し、地面に設置される。周壁は、底板の外周に沿って外周のやや内側に枠状に固定されている。周壁は、底板に対し垂直に固定されている。タンク用受台は、燃料発電機１の燃料タンクの下方に配置され、底板の上に燃料タンクを設置して使用される。タンク用受台は、燃料タンクからこぼれる燃料を底板で受け、内部に溜めることができる。
【００３０】
配管２３は、燃料供給チューブ２３ａと燃料回収チューブ２３ｂとからなる。燃料供給チューブ２３ａは、燃料タンクの燃料送出口と燃料発電機１の給油口とを接続し、燃料タンクの内部の燃料を燃料発電機１に供給するようになっている。燃料回収チューブ２３ｂは、燃料タンクの燃料回収口と燃料発電機１の燃料戻し口とを接続し、燃料発電機１で余分な燃料を燃料タンク内に戻すようになっている。
【００３１】
発電機用受台２４は、燃料発電機１を支持可能である。発電機用受台２４は、平板２４ａと上部脚材２４ｂと下部脚材２４ｃと燃料受槽２４ｄと受槽脚部２４ｅとを有している。平板２４ａは、矩形状の平板から成り、配管２３および燃料発電機１の下方に設けられている。平板２４ａは、配管２３および燃料発電機１からこぼれる燃料を受けることができる。また、平板２４ａは、燃料発電機１を燃料受槽２４ｄの内部から仕切り、燃料受槽２４ｄに溜まった雨水などが給気口１ａから吸い込まれるのを防いでいる。上部脚材２４ｂは、複数から成り、それぞれ平行に配置されて平板２４ａの下部に固定されている。下部脚材２４ｃは、複数から成り、それぞれ平行に配置されて上部脚材２４ｂの下部に固定されている。上部脚材２４ｂと下部脚材２４ｃとは、互いに垂直に交差している。上部脚材２４ｂおよび下部脚材２４ｃは、平板２４ａを支持している。平板２４ａは、燃料受槽２４ｄに夜間などの雨水が溜まった場合にも、燃料発電機１の給気口１ａを水没させることがないよう十分な高さで燃料発電機１を支持可能である。
【００３２】
燃料受槽２４ｄは、平面が矩形状を成し、その内部で下部脚材２４ｃを支持している。燃料受槽２４ｄは、周囲の側壁の上端が平板２４ａよりも高くなるように形成されている。燃料受槽２４ｄは、平板２４ａからこぼれた燃料を受け、内部に溜めることができる。受槽脚部２４ｅは、複数から成り、それぞれ平行に配置されて燃料受槽２４ｄの底部に固定されている。受槽脚部２４ｅは、燃料受槽２４ｄを挟んで下部脚材２４ｃの下側で燃料受槽２４ｄを支持している。燃料受槽２４ｄは、燃料タンクに容量４００リットルのものを用いた場合に、４００リットルの燃料すべてを受けることができる容量を有している。このような燃料受槽２４ｄの深さの一例をあげれば、約２５ｃｍである。
【００３３】
遮熱部材２５は、板状をなし、燃料タンクと燃料発電機１との間に配置される。遮熱部材２５は、上端が燃料タンクの上端より高くなるよう、発電機用受台２４の燃料受槽２４ｄの燃料タンク側の外側面に設置されている。遮熱部材２５は、上部が燃料発電機１の反対側に折れ曲がり、燃料タンクを燃料発電機１の側から隔てている。なお、遮熱部材２５は、タンク用受台に固定されていてもよい。
【００３４】
次に、作用について説明する。
防油堤スタンド２０は、タンク用受台の上に燃料タンクを載せて支持し、発電機用受台２４の上に燃料発電機１を載せて用いられる。発電機用受台２４は、タンク用受台に隣接して設置されているほか、タンク用受台から離れて設置されてもよい。配管２３の燃料供給チューブ２３ａを燃料タンクの燃料送出口と燃料発電機１の給油口とに接続し、燃料回収チューブ２３ｂを燃料タンクの燃料回収口と燃料発電機１の燃料戻し口とに接続する。このとき、配管２３は、発電機用受台２４の平板２４ａの上方を通るよう燃料発電機１に接続される。準備が完了したならば、燃料タンクから燃料発電機１に燃料を供給し、燃料発電機１を稼動させる。
【００３５】
燃料タンクからこぼれた燃料は、タンク用受台により受けることができ、燃料発電機１または配管２３からこぼれた燃料は、発電機用受台２４の平板２４ａにより受けることができる。発電機用受台２４の平板２４ａで受けた燃料は、燃料受槽２４ｄにこぼれ、燃料受槽２４ｄの内部に溜めることができる。このため、防油堤スタンド２０は、燃料タンク、燃料発電機１または配管２３からこぼれた燃料をタンク用受台および発電機用受台２４に回収することができ、こぼれた燃料による土壌汚染を防止することができる。発電機用受台２４は、燃料発電機１を燃料受槽２４ｄの側壁より高い位置で支持するため、夜間などに雨水が溜まったときにも燃料発電機１が水没するのを防止することができる。
【００３６】
防油堤スタンド２０は、遮熱部材２５が燃料タンクと燃料発電機１との間に配置されて、燃料タンクを燃料発電機１の側から隔てているため、燃料発電機１の稼働により発生した熱を遮熱部材２５により遮ることができる。これにより、燃料発電機１の熱で燃料タンクが熱せられて火災の原因となるのを防ぐことができる。
【００３７】
図３は、本発明の第３の実施の形態を示している。
図３に示すように、防油堤スタンド３０は、配管（図示せず）と受台３４と遮熱部材３５とを有している。
【００３８】
配管は、燃料供給チューブと燃料回収チューブとからなる。燃料供給チューブは、燃料タンクの燃料送出口と燃料発電機の給油口とを接続し、燃料タンクの内部の燃料を燃料発電機に供給するようになっている。燃料回収チューブは、燃料タンクの燃料回収口と燃料発電機の燃料戻し口とを接続し、燃料発電機で余分な燃料を燃料タンク内に戻すようになっている。
【００３９】
受台３４は、燃料発電機および燃料タンクを支持可能である。受台３４は、底面３４ａと側壁３４ｂと脚部３４ｃと燃料排出口３４ｄと燃料排出管３４ｅと排出用バルブ３４ｆと支持台３４ｇとを有している。底面３４ａは、矩形状の平板から成り、配管、燃料発電機および燃料タンクの下方に設けられている。底面３４ａは、配管、燃料発電機および燃料タンクからこぼれる燃料を受けることができる。側壁３４ｂは、底面３４ａの外周に沿って枠状に固定されている。側壁３４ｂは、底面３４ａに対し垂直に固定されている。底面３４ａおよび側壁３４ｂは、全体が槽状をなしている。
【００４０】
脚部３４ｃは、底面１４ａの下部に固定されている。燃料排出口３４ｄは、受台３４の内部に溜まった燃料を外部へ排出できるよう、燃料タンクが設置される側の底面３４ａ端部に、底面３４ａを貫通して形成されている。燃料排出管３４ｅは、Ｌ字状に曲げられた管から成り、一端を燃料排出口３４ｄに、他端を排出用バルブ３４ｆに接続している。排出用バルブ３４ｆは、開いたとき、受台３４内部の燃料を燃料排出口３４ｄから燃料排出管３４ｅを通して排出させることができる。支持台３４ｇは、底面３４ａの上部に固定され、燃料発電機および燃料タンクの脚を固定可能に配置されている。支持台３４ｇは、受台３４の内部に雨水などが溜まったとき、燃料発電機の給気口および燃料タンクを水没させない高さで支持している。
【００４１】
遮熱部材３５は、板状をなし、燃料タンクの設置個所と燃料発電機の設置個所との間に配置される。遮熱部材３５は、上端が燃料タンクの上端より高くなるよう、左右両端の下部を燃料タンクと燃料発電機との間の側壁３４ｂに固定して設置されている。遮熱部材３５は、上部が燃料タンクの側に折れ曲がり、燃料タンクを燃料発電機の側から隔てている。
【００４２】
次に、作用について説明する。
防油堤スタンド３０は、受台３４の上に燃料タンクおよび燃料発電機を載せて用いられる。配管の燃料供給チューブを燃料タンクの燃料送出口と燃料発電機の給油口とに接続し、燃料回収チューブを燃料タンクの燃料回収口と燃料発電機の燃料戻し口とに接続する。このとき、配管は、受台３４の底面３４ａの上方を通るよう燃料発電機に接続される。準備が完了したならば、燃料タンクから燃料発電機に燃料を供給し、燃料発電機を稼動させる。
【００４３】
燃料発電機、配管または燃料タンクからこぼれた燃料は、受台３４により受けることができる。このため、防油堤スタンド３０は、燃料発電機、配管または燃料タンクからこぼれた燃料を回収することができ、こぼれた燃料による土壌汚染を防止することができる。また、受台３４の内部に溜まった燃料は、排出用バルブ３４ｆを開けて、燃料排出口３４ｄから燃料排出管３４ｅを通して容易に排出することができる。
【００４４】
防油堤スタンド３０は、遮熱部材３５が燃料タンクと燃料発電機との間に配置されて、燃料タンクを燃料発電機の側から隔てているため、燃料発電機の稼働により発生した熱を遮熱部材３５により遮ることができる。これにより、燃料発電機の熱で燃料タンクが熱せられて火災の原因となるのを防ぐことができる。
【００４５】
【発明の効果】
本発明によれば、燃料発電機からこぼれた燃料を回収し、土壌汚染を防止することができる防油堤スタンドを提供することができる。
【図面の簡単な説明】
【図１】本発明の第１の実施の形態の防油堤スタンドの使用状態を示す側面図である。
【図２】本発明の第２の実施の形態の防油堤スタンドの発電機用受台の使用状態を示す（Ａ）正面図、（Ｂ）側面図である。
【図３】本発明の第３の実施の形態の防油堤スタンドを示す（Ａ）側面図、（Ｂ）平面図、（Ｃ）背面図、（Ｄ）部分拡大図である。
【符号の説明】
１    燃料発電機
１０  防油堤スタンド
１１  燃料タンク
１１ａ  タンク本体
１１ｂ  脚
１１ｃ  燃料供給口
１１ｄ  燃料送出口
１１ｅ  燃料回収口
１２  タンク用受台
１２ａ  底板
１２ｂ  周壁
１３  配管
１３ａ  燃料供給チューブ
１３ｂ  燃料回収チューブ
１４  発電機用受台
１４ａ  底面
１４ｂ  側壁
１４ｃ  脚部
１４ｄ  燃料排出口
１４ｅ  排出用樋
１５  遮熱部材
【図１】
2004251219.tif 000003
【図２】
2004251219.tif 000004
【図３】
2004251219.tif 000005